(57)【要約】【課題】芳香剤等の揮散剤の交換を簡単に行うことができるとともに、外部へ揮散させる効果も十分に発揮することが可能な、新規な揮散剤容器を提供する。【解決手段】本発明の揮散剤容器は、揮散剤を収容した内ケース１と、内ケース１を着脱可能に収納する外ケース２とからなる揮散剤容器であって、外ケース２は、内ケース１を載置する底板２ａと、底板２ａの縁部を取り囲んで立ち上がり上部開放端２ｂ４を残して内ケース１の周りを取り囲む周壁２ｂとを有し、周壁２ｂに、上部開放端２ｂ４から底板２ａに向けて伸延する複数の切欠き２ｄを形成し、切欠き２ｄの相互間に内ケース１を挟んで対向配置となる一対の舌状片２ｅとを設け、舌状片２ｅは、上部開放端２ｂ４に対応する先端部２ｂ５において、対向するもう一つの舌状片２ｅに向けて突出して内ケース１の抜け出しを防止する突片２ｅ１を備えることを特徴とする。【選択図】図１
2011234745.tif 000002
【特許請求の範囲】
【請求項１】
揮散剤を収容した内ケースと、該内ケースを着脱可能に収納する外ケースとからなる揮散剤容器であって、
前記外ケースは、前記内ケースを載置する底板と、該底板の縁部から立ち上がり上部開放端を残して前記内ケースの周りを取り囲む周壁とを有し、
前記周壁に、前記上部開放端から前記底板に向けて伸延する複数の切欠きを形成し、該切欠きの相互間に前記内ケースを挟んで対向配置となる一対の舌状片を設け、
前記舌状片は、前記上部開放端に対応する先端部において、前記対向するもう一つの舌状片に向けて突出して前記内ケースの抜け出しを防止する突片を備えることを特徴とする揮散剤容器。
【請求項２】
前記舌状片は、該舌状片を表裏において貫通する窓孔を有する請求項１記載の揮散剤容器。
【請求項３】
前記周壁は、前記上部開放端の直前で終端し前記舌状片を前記切欠きとともに取り囲むＵ字状の透孔を備える請求項１又は２記載の揮散剤容器。
【請求項４】
前記内ケースが、レフィル容器である請求項１〜３何れかに記載の揮散剤容器。
【発明の詳細な説明】
【技術分野】
【０００１】
本発明は、芳香剤、消臭剤等の揮散する成分を含む揮散剤を収容する内ケースと、この内ケースを着脱可能に収容する外ケースとからなる容器に関するものであって、特に揮散剤の効果が失われた後は面倒な作業を伴うことなく簡単な操作によって内ケースを交換することができるとともに、揮散する効果も十分に発揮させることが可能な揮散剤容器に関する。
【背景技術】
【０００２】
芳香剤等の揮散剤を内容物として収容した容器は、例えば内容物が液状ものにあっては容器の口部に揮散器を取り付け、該揮散器を通して内容物を揮散させることが一般に行われている（例えば特許文献１参照）。この種の容器について内容物を使いきって詰替えを行う場合には、まず蓋の如き揮散器を容器から取り外す必要があり、内容物を新しいものに交換して揮散器を容器に取り付けする場合にも相互の位置を合わせる必要があって、面倒な作業を伴うものであった。特に近年では内容物を液状のものからゲル状の如きものへと移行される傾向があるものの、かかる内容物を充填した容器（レフィル容器）についても内容物を使いきった後には取替えが必要であり、この種の容器については内容物の形態の違いにかかわらず、詰替え作業の一層の簡素化が求められていた。
【先行技術文献】
【特許文献】
【０００３】
【特許文献１】特開２００５−１３１０２１号公報
【発明の概要】
【発明が解決しようとする課題】
【０００４】
本発明の課題は、芳香剤等の揮散剤の交換を面倒な作業を伴うことなく簡単に行うことができるとともに、外部へ揮散させる効果も十分に発揮することが可能な、新規な揮散剤容器を提案するところにある。
【課題を解決するための手段】
【０００５】
本発明は、揮散剤を収容した内ケースと、該内ケースを着脱可能に収納する外ケースとからなる揮散剤容器であって、
前記外ケースは、前記内ケースを載置する底板と、該底板の縁部から立ち上がり上部開放端を残して前記内ケースの周りを取り囲む周壁とを有し、
前記周壁に、前記上部開放端から前記底板に向けて伸延する複数の切欠きを形成し、該切欠きの相互間に前記内ケースを挟んで対向配置となる一対の舌状片を設け、
前記舌状片は、前記上部開放端に対応する先端部において、前記対向するもう一つの舌状片に向けて突出して前記内ケースの抜け出しを防止する突片を備えることを特徴とする揮散剤容器である。
【０００６】
前記舌状片は、該舌状片を表裏において貫通する窓孔を有することが望ましい。
【０００７】
前記周壁は、前記上部開放端の直前で終端し前記舌状片を前記切欠きとともに取り囲むＵ字状の透孔を備えることが望ましい。
【０００８】
前記内ケースが、レフィル容器であることが望ましい。
【発明の効果】
【０００９】
外ケースの周壁に、この内側に収容される内ケースを挟んで対向配置となる一対の舌状片を形成し、この舌状片の先端部に、もう一つの舌状片に向けて突出する突片を設けたので、対向する舌状体を指で相互に離隔させるだけで内ケースを取り出すことができ、指を離せば舌状体が元に戻って外ケースからの内ケースの抜け出しを防止することが可能となる。
【００１０】
舌状片を貫通する窓孔を設けたので、舌状片が撓み易くなり、内ケースの取付け、取り外しが容易に行えることとなる。また窓孔を通して内ケースの揮散剤を外部へ十分に揮散させることができる。
【００１１】
周壁に、上部開放端の直前で終端し舌状片を切欠きとともに取り囲むＵ字状の透孔を形成したので、舌状片から周壁までつながる腕の長さが長くなり、小さな力で撓ませることができるようになって、内ケースの取付け、取り外しがより簡単となる。また透孔を通して揮散させることもでき、より有利に揮散効果を発揮させることが可能となる。
【００１２】
内ケースをレフィル容器としたので、内ケースに揮散剤を移し替える必要がなく、詰替え作業が簡単になる。
【図面の簡単な説明】
【００１３】
【図１】本発明に従う揮散剤容器の実施の形態を示した斜視図である。
【図２】図１に示す揮散剤容器につき内ケースを取り外す状態を示した図である。
【図３】本発明に従う揮散剤容器の他の実施の形態を示した斜視図である。
【発明を実施するための形態】
【００１４】
以下、図面を参照して、本発明をより具体的に説明する。
図１は本発明に従う揮散剤容器の実施の形態を示した斜視図であり、図２は、図１に示す揮散剤容器につき内ケースを取り外す状態を示した図である。なお以下、図１において外ケースの開口する側（＋Ｚ方向）を揮散剤容器の上とし、舌状片が配置されているＡ側（＋Ｘ方向）の面を正面、この舌状片と対向する側（−Ｘ方向）を背面として説明する。
【００１５】
図１において、１は芳香剤や消臭剤等の揮散する成分を含んだ揮散剤を内容物として収容した内ケースである。内ケース１は、薄肉のプラスチック等で形成されており軽量化が図られている。また材料の使用量も少なくなるので安価に製造することが可能であり、内容物を使い切った後には新しい内容物を収納した内ケース１ごと交換することができる、レフィル容器とすることができる。図１の例において内ケース１の上面および正面、背面には、スリット状の揮散孔が設けられており、この揮散孔を通して内ケース１の内側に収めた揮散剤が外界へ揮散可能となっている。市場で流通する時にはこの揮散孔が薄手のフィルムで覆われているので外部へ揮散することはなく、使用直前にフィルムをはぎ取ることで内容物の揮散が可能となる。
尚、内ケースの揮散孔は、複数箇所設けられていることが望ましいが、少なくとも一箇所形成してあればよい。
【００１６】
２は、内ケース１を着脱可能に収容する外ケースである。外ケース２は、内ケース１を上部に載置する底板２ａと、この底板２ａの縁部を取り囲んで立ち上がる周壁２ｂとを有しており、底板２ａと周壁２ｂとの連携でもって、上部を開放した凹状の空間２ｃを形成している。図示の例で外ケース２は矩形状となっており、周壁２ｂは、正面に位置する正面壁２ｂ１、背面に位置する背面壁２ｂ２、正面壁２ｂ１及び背面壁２ｂ２を容器の左右（Ｙ方向）で相互につないだ一対の側面壁２ｂ３からなり、正面壁２ｂ１と背面壁２ｂ２の幅が側面壁２ｂ３よりも長くなっている。外ケースの形状は上記矩形状に限られず、正方形でも円形でもよい。周壁２ｂの上部には、内ケース１の装填口となる上部開放端２ｂ４が形成されており、装填後の内ケース１は、上部開放端２ｂ４を残して周壁２ｂに取り囲まれている。周壁２ｂは、上部開放端２ｂ４から底板２ａに向けて伸延する複数の切欠き２ｄを有しており、この切欠き２ｄの相互間には舌状片２ｅが形成され、内ケース１を挟んで対向配置となっている。各舌状片２ｅの上側の端であり、前記上部開放端２ｂ４に対応する先端部２ｂ５には、対向するもう一つの舌状片２ｅに向けて突出する突片２ｅ１がそれぞれ設けられており、この突片２ｅ１によって内ケース１の上側への抜け出しが阻止されている。突片２ｅ１の下面は、内ケース１の上面と密着するようにしてもよいし、相互間に隙間を設けるようにしてもよい。図１の例では、切欠き２ｄを正面壁２ｂ１、背面壁２ｂ２にそれぞれ２つ設け、１つの面に舌状片２ｅが１つ形成される例を示したが、舌状片２ｅを正面壁２ｂ１、背面壁２ｂ２に複数設けるようにしてもよいし、側面壁２ｂ３に形成してもよい。
また、舌状片２ｅに目印（矢印）を設けておけば、外ケースと内ケースの取り外し方法が容易に判別することができる。
【００１７】
外ケース２はプラスチック等の弾性を持った材料で形成されており、舌状片２ｅは、片持ちの弾性アームとして機能する。このため図２に示すように、対向する舌状体２ｅを矢印の方向に指で相互に離隔させることで、内ケース１をケース２から取り出すことができる。また新たな内ケース１を取り付ける場合には、同様に舌状体２ｅを指で相互に離隔させておき、上方から内ケース１を底板２ａに至るまで挿入する。ここで指を離せば舌状体２ｅが元の位置に戻るので、使用中に内ケース１が外ケース２から抜け出すことを防止することができる。
【００１８】
舌状片２ｅは、この舌状片２ｅを貫通する窓孔２ｅ２を備えることが好ましい。これにより舌状片２ｅの内側には孔が開くので撓み易くなり、内ケース１の取付け、取り外しが容易となる。また窓孔２ｅ２を通して外ケース２の凹状の空間２ｃと外部とが連通するので、内ケース１の上面からだけでなく正面や背面からも揮散させることができ、十分な揮散量を確保することができる。図１に示すように、窓孔２ｅ２をＭ字状の孔２ｅ３とＵ字状の孔２ｅ４とを組み合わせたものとし、舌状片２ｅの中央に逆Ｗ字状の側壁２ｅ５を形成した場合には、内ケース１を取り出す際には舌状片２ｅの内側に大きな開孔が形成されているので撓みやすく、内ケース１を外ケース２に取り付けた際には、逆Ｗ字状の側壁２ｅ５で内ケース１を両側から弾性支持できるので、使用中においてはケース１を安定して保持することができる。
【００１９】
周壁２ｂは、図３に示すように上部開放端２ｂ４の直前で終端するとともに舌状片２ｅを切欠き２ｄとともに取り囲むＵ字状の透孔２ｆを備えることが好ましい。これにより舌状片２ｅは、舌状片２ｅの下部において幅方向（Ｙ方向）外側に向けてそれぞれ広がり、そこから上方に向けて延びて上部開放端２ｂ４と連結する左右一対の連結片２ｇによって保持されるので、片持ち支持の腕となる部位が長くなって小さな力で撓ませることが可能となり、内ケース１の取付け、取り外しがより簡単となる。また透孔２ｆからも揮散させることができるので、より有利に揮散効果を発揮させることが可能となる。なお図３に示すように、窓孔２ｅ２と透孔２ｆとを一体に結合させて舌状片２ｅをより撓み易くさせてもよい。
【産業上の利用可能性】
【００２０】
本発明によれば、芳香剤等の揮散剤の交換を簡単に行うことができるとともに、外部へ揮散させる効果も十分に発揮することが可能な、揮散剤容器を提供できる。
【符号の説明】
【００２１】
１    内ケース
２    外ケース
２ａ  底板
２ｂ  周壁
２ｃ  凹状の空間
２ｄ  切欠き
２ｅ  舌状片
２ｆ  透孔
２ｇ  連結片
【図１】
2011234745.tif 000003
【図２】
2011234745.tif 000004
【図３】
2011234745.tif 000005